(57)【要約】パケット基盤のネットワークを介して回線ネットワーク端末機に音声呼サービス及び付加的なサービスを提供するための方法及びネットワークシステムを提供する。ネットワークシステムにおいて、ＲＡＮは、回線ネットワーク端末機に呼サービスを提供し、仲介ゲートウェイは、回線ネットワーク端末機のＩＰ登録を遂行して回線ネットワーク端末機がパケット基盤のネットワークでパケットネットワーク端末機として認識されるように制御する。アクセスゲートウェイは、仲介ゲートウェイの要求に応じて所定のトラフィックインターフェースを提供し、回線ネットワーク端末機の音声トラフィックをパケット基盤のネットワークを介して着信側端末機へ伝送する。
2004519927.tif 000002
【特許請求の範囲】
【請求項１】
回線基盤のネットワークを介した無線通信を支援する回線ネットワーク端末機にパケット基盤のネットワークを介してパケット音声呼サービスを提供するためのネットワークシステムにおいて、
前記回線ネットワーク端末機に呼サービスを提供する無線アクセスネットワーク（Ｒａｄｉｏ Ａｃｃｅｓｓ Ｎｅｔｗｏｒｋ；ＲＡＮ）と、
回線基盤のネットワークによる所定のシグナリングインターフェースを介して前記ＲＡＮと接続されて前記回線ネットワーク端末機にパケット音声呼サービスを提供するために、位置登録、認証、及び移動性管理を遂行し、前記回線ネットワーク端末機のＩＰ登録を遂行して前記回線ネットワーク端末機が前記パケット基盤のネットワークでパケットネットワーク端末機として認識されるように制御する仲介ゲートウェイと、
所定のシグナリングインターフェースを介して前記仲介ゲートウェイと接続され、前記仲介ゲートウェイの要求に応じて所定のトラフィックインターフェースを提供し、前記ＲＡＮと接続されて前記回線ネットワーク端末機の音声トラフィックを前記パケット基盤のネットワークを介して着信側端末機へ伝達するアクセスゲートウェイと
を含むことを特徴とするネットワークシステム。
【請求項２】
前記仲介ゲートウェイは、
所定のシグナリングインターフェースを介して前記無線アクセスネットワークから前記回線ネットワーク端末機のユーザープロフィール、サービスプロフィール、及びサービス品質クラスに関する情報を受信する回線ネットワーク支援部と、
前記回線ネットワーク支援部から受信された前記ユーザープロフィール、サービスプロフィール、及びサービス品質クラス情報をＳＩＰ（Ｓｅｓｓｉｏｎ Ｉｎｉｔｉａｔｉｏｎ Ｐｒｏｔｏｃｏｌ）登録、割当て、及び呼設定処理のための信号へ変換して前記パケット基盤のネットワークへ伝送するパケットネットワーク支援部と
を含むことを特徴とする請求項１記載のネットワークシステム。
【請求項３】
前記回線ネットワーク支援部は、前記ＲＡＮとの接続のためのＩＯＳ Ａ１インターフェースの支援、ホーム位置登録器（ＨＬＲ）との接続のためのＩＳ−４１インターフェースの支援、及び回線ネットワーク端末機の移動性管理を遂行することを特徴とする請求項２記載のネットワークシステム。
【請求項４】
前記ＩＯＳ Ａ１インターフェースは、ＳＳ７インターフェースまたはＡＴＭインターフェースであることを特徴とする請求項３記載のネットワークシステム。
【請求項５】
前記パケットネットワーク支援部は、前記パケット基盤のネットワークを介して前記回線ネットワーク端末機の認証及び課金を遂行することを特徴とする請求項２記載のネットワークシステム。
【請求項６】
前記アクセスゲートウェイは、前記パケット基盤のネットワークのトラフィックパケットを終結（ｔｅｒｍｉｎａｔｉｏｎ）させて前記回線ネットワークの前記終結されたトラフィックパケットを無線トラフィックチャンネルでインターフェースすることを特徴とする請求項１記載のネットワークシステム。
【請求項７】
所定のシグナリングインターフェースを介して前記仲介ゲートウェイと接続され、前記仲介ゲートウェイの要求に応じて前記回線ネットワーク端末機のパケット音声呼サービスのためのセッション連結を制御するセッション制御管理者をさらに含むことを特徴とする請求項１記載のネットワークシステム。
【請求項８】
回線基盤のネットワークを介した無線通信を支援する回線ネットワーク端末機にパケット基盤のネットワークを介してパケット音声呼サービスを提供するための登録方法において、
前記回線ネットワーク端末機から回線基盤のネットワークインターフェースによって無線アクセスネットワーク（ＲＡＮ）を介して登録要求を受信するステップと、
前記登録要求に応じて前記回線ネットワーク端末機の加入者情報を更新して位置登録を遂行するステップと、
前記パケット基盤のネットワークへ前記回線ネットワーク端末機のＩＰ登録を要求するステップと、
前記パケット基盤のネットワークから登録結果が受信されると、前記ＲＡＮを介して前記回線ネットワーク端末機に前記登録結果を伝送するステップと
を含むことを特徴とする方法。
【請求項９】
回線基盤のネットワークを介した無線通信を支援する回線ネットワーク端末機にパケット基盤のネットワークを介してパケット音声呼のサービスを提供する呼発信方法において、
回線ネットワーク端末機から回線基盤のネットワークインターフェースによって無線アクセスネットワーク（ＲＡＮ）を介して仲介ゲートウェイでパケット音声呼の発信要求を受信するステップと、
前記仲介ゲートウェイから前記回線ネットワーク端末機のために生成したＩＰプロトコル情報をアクセスゲートウェイへ伝送するステップと、
前記アクセスゲートウェイで前記ＩＰプロトコル情報を利用して前記回線ネットワーク端末機を前記パケット基盤のネットワークへ連結し、前記パケット音声呼のサービスを提供するステップと
を含むことを特徴とする方法。
【請求項１０】
回線基盤のネットワークを介した無線通信を支援する回線ネットワーク端末機にパケット基盤のネットワークを介してパケット音声呼のサービスを提供するための呼着信方法において、
パケット基盤のネットワークで仲介ゲートウェイへ回線ネットワーク端末機への呼着信を要求するステップと、
前記仲介ゲートウェイで回線基盤のネットワークインターフェースによって無線アクセスネットワーク（ＲＡＮ）を介して回線ネットワーク端末機を呼び出すステップと、
前記呼び出しに対する応答を受信すると、前記仲介ゲートウェイから前記回線ネットワーク端末機のために生成したＩＰプロトコル情報をアクセスゲートウェイへ伝送するステップと、
前記アクセスゲートウェイで前記ＩＰプロトコル情報を利用して前記回線ネットワーク端末機を前記パケット基盤のネットワークに連結し、前記パケット音声呼のサービスを前記回線ネットワーク端末機へ提供するステップと
を含むことを特徴とする方法。
【発明の詳細な説明】
【０００１】
【発明の属する技術分野】
本発明は、無線通信ネットワークに関し、特に、ＩＭＴ−２０００システムで回線基盤のネットワーク（Ｃｉｒｃｕｉｔ Ｂａｓｅｄ Ｎｅｔｗｏｒｋ）を支援する端末機にＩＰ（Ｉｎｔｅｒｎｅｔ Ｐｒｏｔｏｃｏｌ）コアネットワークを利用した音声呼サービス及び付加的なサービスを提供するための方法及びネットワークシステムに関する。
【０００２】
【従来の技術】
一般的に、ＩＭＴ−２０００（Ｉｎｔｅｒｎａｔｉｏｎａｌ Ｍｏｂｉｌｅ Ｔｅｌｅｃｏｍｍｕｎｉｃａｔｉｏｎｓ−２０００）は、現在国家別に個別的に運営されている多様な移動通信システム（すなわち、レガシー（ｌｅｇａｃｙ）システム）の規格を統一し、１つの端末機で世界どこでも通信サービスを利用できるようにする同期式または非同期式次世代移動通信システムである。ＩＭＴ−２０００は、単一の端末機を介して多様なサービスと接続することができる。例えば、ユーザーは、インターネット／イントラネットを介したグラフィック接続、マルチメディア交換、及び大量のデータファイル伝送などを同時に遂行しつつ、ビデオ画像会議も進行することができる。また、ＩＭＴ−２０００は、グローバルローミング、無線ビデオサービス、ビデオ遠隔会議、及び両方向エンターテインメントなどを提供する。
【０００３】
特に、同期式ＩＭＴ−２０００では、無線アクセスネットワーク（Ｒａｄｉｏ Ａｃｃｅｓｓ Ｎｅｔｗｏｒｋ；以下、ＲＡＮと略称する。）との整合、コアネットワークの構成、無線パケットデータネットワーキング、及び端末機などの詳細な規格を定義する。このようなＩＭＴ−２０００システムでは、パケット基盤のネットワークからＩＰアドレスを割り当てられることができる端末機にパケット基盤の音声及びデータ呼サービスを提供するためのａｌｌ ＩＰ（Ｉｎｔｅｒｎｅｔ Ｐｒｏｔｏｃｏｌ）コアネットワークシステムを基本的に有する。従って、通常な回線基盤の端末機に音声呼サービスを提供するためには、別途のコアネットワークを構築する必要がある。
【０００４】
図１は、通常の同期式ＩＭＴ−２０００ ａｌｌ ＩＰコアネットワークの構成図を示す。ここで、実線は、音声及びデータトラフィックのフローを示し、点線は、制御信号のフローを示す。
図１を参照すると、ＲＡＮ１１０は、よく知られているように、多数の基地局（Ｂａｓｅ Ｔｒａｎｓｃｅｉｖｅｒ Ｓｕｂｓｙｓｔｅｍｓ；ＢＴＳｓ）１１２、多数の基地局制御器（Ｂａｓｅ Ｓｔａｔｉｏｎ Ｃｏｎｔｒｏｌｌｅｒｓ；ＢＳＣｓ）１１４、及び移動性管理部（Ｍｏｂｉｌｉｔｙ Ｍａｎａｇｅｒ；ＭＭ）１１６を含む。前記ＲＡＮ１１０は、パケット基盤のネットワークを支援する端末機１０（以下、パケットネットワーク端末機と称する。）のみならず、回線基盤のネットワークを支援する端末機１５（以下、回線ネットワーク端末機） にも無線チャンネルを連結することができる。
【０００５】
前記パケットネットワーク端末機１０は、セッション制御管理部（Ｓｅｓｓｉｏｎ Ｃｏｎｔｒｏｌ Ｍａｎａｇｅｒ）１５０及びホームエイジェント（Ｈｏｍｅ Ａｇｅｎｔ）１８０に移動ＩＰアドレス（Ｍｏｂｉｌｅ ＩＰ Ａｄｄｒｅｓｓ）を登録し、ＳＣＭ１５０の制御下において他の加入者システムに連結される。前記パケットネットワーク端末機１０がパケット呼サービスを要求すると、アクセスゲートウェイ（Ａｃｃｅｓｓ Ｇａｔｅｗａｙ）１４０は、相手方のパケットネットワーク端末機に連結されたゲートウェイ、例えば、メディアゲートウェイ（Ｍｅｄｉａ Ｇａｔｅｗａｙ）１７０を要求すると、セッションを初期化する。そうすると、前記ＡＧ１４０は、ＩＰ通信によってＭＧ１７０とトラフィックパケットを交換する。
【０００６】
前述したように、同期式ＩＭＴ−２０００のａｌｌ ＩＰコアネットワークは、パケットネットワークとパケットネットワーク端末機とからなり、ＶｏＩＰ（Ｖｏｉｃｅ Ｏｖｅｒ ＩＰ）及びＩＰデータサービスを提供する。
【０００７】
一方、回線ネットワーク端末機１５は、回線ネットワークＭＳドメイン１３０の制御下において他の加入者システムに連結される。ここで、前記回線ネットワークＭＳドメイン１３０は、加入者情報を利用して回線ネットワーク端末機の呼接続及び呼接続を制御する移動交換局（Ｍｏｂｉｌｅ Ｓｗｉｔｃｈｉｎｇ Ｃｅｎｔｅｒ）サーバー１３２と、前記ＭＳＣサーバー１３２に前記加入者情報を提供するホーム位置登録器（Ｈｏｍｅ Ｌｏｃａｔｉｏｎ Ｒｅｇｉｓｔｅｒ）１３４とを含む。ここで、前記ＭＳＣサーバー１３２は、通常なＭＳＣのようなＩＳ−４１規格のインターフェースを介してＨＬＲ１３４の加入者データベースをアクセスするが、回線ネットワーク端末機１５が前記ＲＡＮ１１０を介して他の加入者システムに連結されるための制御シグナリングを処理するだけ、トラフィックをスイッチングしない。
【０００８】
従来技術によって回線ネットワーク端末機が音声呼を連結する動作をより詳細に説明すると、次のようである。
前記回線ネットワーク端末機１５が前記ＲＡＮ１１０を介して前記ＭＳＣサーバー１３２に呼設定を要求すると、前記ＭＳＣサーバー１３２は、ＩＳ−４１インターフェースを介して前記ＨＬＲ１３４と通信して加入者認証などを含む知られた動作を遂行した後、前記回線ネットワーク端末機１５に無線トラフィックチャンネルの割当てを前記ＲＡＮ１１０のＢＴＳ１１２に指示する。その後、前記ＭＳＣサーバー１３２は、着信側端末機を確認し、該当着信側端末機に連結された相手方ゲートウェイ、例えば、前記ＭＧ１７０に前記ＲＡＮ１１０と通信することを要求する。前記ＭＧ１７０は、前記要求に応じて前記ＲＡＮと直接呼接続経路（ｃａｌｌ ｃｏｎｎｅｃｔｉｏｎ ｐａｔｈ）を設定する。そうすると、前記回線ネットワーク端末機１５は、前記設定された呼接続経路を介して着信側端末機と音声通話を遂行する。
【０００９】
前述したように、同期式ＩＭＴ−２０００システムの基本ネットワークモデルは、別途のネットワーク素子、すなわち、回線ネットワーク端末機の支援部を利用して回線ネットワーク端末機に対する既存のＭＳＣ基盤の音声呼サービスを提供するだけ、回線ネットワーク端末機にＩＰ通信を介した音声呼サービスを提供することはできない。すなわち、同期式ＩＭＴ−２０００ ａｌｌ ＩＰネットワークモデルは、既存のＩＳ−４１規格の回線基盤の端末機に対するＩＰサービス特性（ＩＰ ｓｅｒｖｉｃｅ ｆｅａｔｕｒｅ）を収容しない。
【００１０】
このような場合、全体的なネットワークは、２つの相互異なるサービスを支援するために、２つのコアネットワーク（パケット基盤のネットワーク及び回線基盤のネットワーク）を含まなければならなく、これにより、ネットワーク間接費用（ｏｖｅｒｈｅａｄ）が多く発生する。また、前記ネットワークは、新規のＩＰ加入者及び既存のレガシー加入者を含む統合されたサービスを提供することができない。これは、回線ネットワーク端末機にＩＰネットワークを介した多様な呼サービス、例えば、インターアクティブ呼サービス（ｉｎｔｅｒａｃｔｉｖｅ ｃａｌｌ ｓｅｒｖｉｃｅ）などを提供することができないことを意味する。さらに、回線ネットワーク端末機に音声呼サービスを提供するためには、前記ＭＳＣサーバーが認証を遂行し、無線トラフィックチャンネルを割り当てた後、前記ＲＡＮと前記ＭＧとの呼接続経路を設定しなければならない。その結果、呼接続遅延が発生するという問題点があった。
【００１１】
【発明が解決しようとする課題】
従って、本発明の目的は、回線基盤のネットワークとパケット基盤のネットワークとの間にゲートウェイネットワーク素子を挿入することにより、パケット基盤のデータコアネットワークを介して回線ネットワーク端末機にＩＰ通信を介した音声呼サービスを支援する方法を提供することにある。
本発明の他の目的は、回線基盤のネットワークとパケット基盤のネットワークとの間にゲートウェイネットワーク素子を挿入することにより、パケット基盤のデータコアネットワークを介して回線ネットワーク端末機にＩＰ通信を介した音声呼サービスを支援するネットワークシステムを提供することにある。
【００１２】
本発明のまた他の目的は、ａｌｌ ＩＰネットワークでデータコアネットワークを介して回線ネットワーク端末機にＶｏＩＰサービス及び付加的なＩＰサービスを支援するための方法を提供することにある。
本発明のさらに他の目的は、ａｌｌ ＩＰネットワークでデータコアネットワークを介して回線ネットワーク端末機にＶｏＩＰサービス及び付加的なＩＰサービスを支援するためのネットワークシステムを提供することにある。
本発明のなお他の目的は、回線基盤のネットワークを介して無線通信を支援する回線ネットワーク端末機にパケット基盤のネットワークを介してパケット音声呼を提供するための方法及びネットワークシステムを提供することにある。
【００１３】
【課題を解決するための手段】
前記のような目的を達成するために、本発明の実施形態は、回線基盤のネットワークを介した無線通信を支援する回線ネットワーク端末機にパケット基盤のネットワークを介してパケット音声呼サービスを提供するためのネットワークシステムにおいて、前記回線ネットワーク端末機に呼サービスを提供するＲＡＮと、回線基盤のネットワークによる所定のシグナリングインターフェースを介して前記ＲＡＮと接続されて前記回線ネットワーク端末機にパケット音声呼サービスを提供するために、位置登録、認証、及び移動性管理を遂行し、前記回線ネットワーク端末機のＩＰ登録を遂行して前記回線ネットワーク端末機が前記パケット基盤のネットワークでパケットネットワーク端末機として認識されるように制御する仲介ゲートウェイと、所定のシグナリングインターフェースを介して前記仲介ゲートウェイと接続され、前記仲介ゲートウェイの要求に応じて所定のトラフィックインターフェースを提供し、前記ＲＡＮと接続されて前記回線ネットワーク端末機の音声トラフィックを前記パケット基盤のネットワークを介して着信側端末機へ伝達するアクセスゲートウェイとを含むことを特徴とする。
【００１４】
また、本発明の他の実施形態は、回線基盤のネットワークを介した無線通信を支援する回線ネットワーク端末機にパケット基盤のネットワークを介してパケット音声呼サービスを提供するための登録方法において、前記回線ネットワーク端末機から回線基盤のネットワークインターフェースによってＲＡＮを介して登録要求を受信するステップと、前記登録要求に応じて前記回線ネットワーク端末機の加入者情報を更新して位置登録を遂行するステップと、前記パケット基盤のネットワークへ前記回線ネットワーク端末機のＩＰ登録を要求するステップと、前記パケット基盤のネットワークから登録結果が受信されると、前記ＲＡＮを介して前記回線ネットワーク端末機に前記登録結果を伝送するステップとを含むことを特徴とする。
【００１５】
さらに、本発明の他の実施形態は、回線基盤のネットワークを介した無線通信を支援する回線ネットワーク端末機にパケット基盤のネットワークを介してパケット音声呼のサービスを提供する呼発信方法において、回線ネットワーク端末機から回線基盤のネットワークインターフェースによってＲＡＮを介して仲介ゲートウェイでパケット音声呼の発信要求を受信するステップと、前記仲介ゲートウェイから前記回線ネットワーク端末機のために生成したＩＰプロトコル情報をアクセスゲートウェイへ伝送するステップと、前記アクセスゲートウェイで前記ＩＰプロトコル情報を利用して前記回線ネットワーク端末機を前記パケット基盤のネットワークへ連結し、前記パケット音声呼のサービスを提供するステップとを含むことを特徴とする。
【００１６】
なお、本発明の他の実施形態は、回線基盤のネットワークを介した無線通信を支援する回線ネットワーク端末機にパケット基盤のネットワークを介してパケット音声呼のサービスを提供するための呼着信方法において、パケット基盤のネットワークで仲介ゲートウェイへ回線ネットワーク端末機への呼着信を要求するステップと、前記仲介ゲートウェイで回線基盤のネットワークインターフェースによってＲＡＮを介して回線ネットワーク端末機を呼び出すステップと、前記呼び出しに対する応答を受信すると、前記仲介ゲートウェイから前記回線ネットワーク端末機のために生成したＩＰプロトコル情報をアクセスゲートウェイへ伝送するステップと、前記アクセスゲートウェイで前記ＩＰプロトコル情報を利用して前記回線ネットワーク端末機を前記パケット基盤のネットワークに連結し、前記パケット音声呼のサービスを前記回線ネットワーク端末機へ提供するステップとを含むことを特徴とする。
【００１７】
【発明の実施の形態】
以下、本発明に従う好適な実施形態について添付図面を参照しつつ詳細に説明する。下記説明において、本発明の要旨のみを明確にする目的で、関連した公知機能または構成に関する具体的な説明は省略する。
図２は、本発明による仲介ゲートウェイを含むａｌｌ ＩＰコアネットワーク（Ａｌｌ Ｉｎｔｅｒｎｅｔ Ｐｒｏｔｏｃｏｌ Ｃｏｒｅ Ｎｅｔｗｏｒｋ）のブロック図である。ここで、実線は、音声及びデータトラフィックのフローを示し、点線は制御信号のフローを示すことに留意されたい。また、下記説明において、通常の回線基盤のネットワークに連結されることができる端末機を回線ネットワーク端末機と称し、パケット基盤のネットワークに連結されることができる端末機をパケットネットワーク端末機と称する。例えば、回線ネットワーク端末機は、１世代または２世代ＣＤＭＡ通信を支援するレガシー端末機になることができ、パケットネットワーク端末機は、移動ＩＰアドレスを割り当てられてＴＣＰ／ＩＰ（Ｔｒａｎｓｍｉｓｓｉｏｎ Ｃｏｎｔｒｏｌ Ｐｒｏｔｏｃｏｌ／Ｉｎｔｅｒｎｅｔ Ｐｒｏｔｏｃｏｌ）に基づいたパケット通信を遂行することができるＩＰ端末機になることができる。また、パケットネットワーク端末機は、ＵＤＰ（Ｕｓｅｒ Ｄａｔａｇｒａｍ Ｐｒｏｔｏｃｏｌ）に基づいたパケット通信を遂行することができる。
【００１８】
図２を参照すると、本発明によるａｌｌ ＩＰコアネットワークは、基本的に通常のａｌｌ ＩＰコアネットワークシステムのネットワーク素子に追加されて回線ネットワーク端末機１５のシグナリングのための仲介ゲートウェイ２３０を含む。前記ネットワーク素子は、パケットネットワーク端末機及び回線ネットワーク端末機に移動ＩＰアドレスを割り当てるためのホームエイジェント（Ｈｏｍｅ Ａｇｅｎｔ；ＨＡ）２９０、ＲＡＮ２１０をパケットネットワークに連結するためのアクセスゲートウェイ（Ａｃｃｅｓｓ Ｇａｔｅｗａｙ；ＡＧ）２５０、ＶｏＩＰサービスのためのセッション制御管理部（Ｓｅｓｓｉｏｎ Ｃｏｎｔｒｏｌ Ｍａｎａｇｅｒ；ＳＣＭ）２６０、ＰＳＴＮ（Ｐｕｂｌｉｃ Ｓｗｉｔｃｈｅｄ ｔｅｌｅｐｈｏｎｅ Ｎｅｔｗｏｒｋ）または他のネットワークに連結するための仲介ゲートウェイ（Ｍｅｄｉａｔｉｏｎ Ｇａｔｅｗａｙ；ＭＧ）２８０、少なくとも１つのＡＡＡ（Ａｕｔｈｅｎｔｉｆｉｃａｔｉｏｎ， Ａｕｔｈｏｒｉｚａｔｉｏｎ ａｎｄ Ａｃｃｏｕｎｔｉｎｇ ｃｏｍｐｕｔｅｒ）サーバー（図示せず）、ＩＰアドレスとそれに対応するドメインネーム（Ｄｏｍａｉｎ Ｎａｍｅ）を管理するドメインネームサーバー（Ｄｏｍａｉｎ Ｎａｍｅ Ｓｅｒｖｅｒ；ＤＮＳ）（図示せず）がある。また、前記ＲＡＮ２１０は、無線チャンネルのアクセスのためのＢＴＳ２１２、ＢＳＣ２１４、及び前記ＲＡＮ２１０内の端末機の位置を登録するためのＭＭ２１６を含む。ここで、前記ＢＳＣ２１４は、ＢＴＳ２１２とインターフェーシングされるＢＡＮ（ＢＳＣ ＡＴＭ Ｎｏｄｅ）とトラフィック関連信号をＡＧ２５０に連結するＡＴＰ（Ａｉｒ Ｔｅｒｍｉｎａｔｉｏｎ Ｐｒｏｃｅｓｓｏｒ）とを含む。
【００１９】
図３は、本発明による回線ネットワーク端末機に音声パケットサービスを提供するためのネットワークシステムを示す。
図３を参照すると、仲介ゲートウェイ２３０は、ＩＳ−４１規格のインターフェース信号をＩＰ信号へ変換（ｃｏｎｖｅｒｔ）または翻訳（ｔｒａｎｓｌａｔｉｏｎ）して、周辺の他のネットワーク素子とともに回線ネットワーク端末機に対する音声呼サービスを提供する。前記仲介ゲートウェイ２３０の主な機能を図４に示している。図４において、前記仲介ゲートウェイ２３０は、大別して、回線ネットワーク支援部２３２とパケットネットワーク支援部２３４とに区分される。特に、パケットネットワーク支援部２３４の主な機能に対しては、図５に詳細に示されている。
【００２０】
図４を参照すると、前記回線ネットワーク支援部２３２は、前記ＲＡＮ２１０と連動するためのＩＯＳ Ａ１インターフェースと、ＩＳ−４１ネットワークのＨＬＲと連動するためのＩＳ−４１インターフェースと、回線ネットワークを介してフェージング、ハンドオフ、及び位置登録などを遂行するための移動性管理とを支援する。特に、ＩＯＳ Ａ１インターフェースは、回線基盤のＢＳＣとの連結のためにＳＳ７（Ｓｉｇｎａｌｉｎｇ Ｓｙｓｔｅｍ Ｎｏ．７）またはＡＴＭ（Ａｓｙｎｃｈｒｏｎｏｕｓ Ｔｒａｎｓｆｅｒ Ｍｏｄｅ）を利用するか、またはａｌｌ ＩＰネットワークのシステムに適用可能であるようにＩＰインターフェースを利用する。
【００２１】
図５を参照すると、パケットネットワーク支援部２３４は、ＳＣＭ２６０とのインターフェースのためのＳＩＰ（Ｓｅｓｓｉｏｎ Ｉｎｉｔｉａｔｉｏｎ Ｐｒｏｔｏｃｏｌ）と、ＩＰと、ＡＧ２５０とのインターフェースのためのＭＧＣＰ（Ｍｅｄｉａ Ｇａｔｅｗａｙ Ｃｏｎｔｒｏｌ Ｐｒｏｔｏｃｏｌ）を支援する。ここで、前記ＡＧ２５０及び前記仲介ゲートウェイ２３０は、ＭＧとＭＧ制御機能ブロック（ＭＧ Ｃｏｎｔｒｏｌ Ｆｕｎｃｔｉｏｎ ｂｌｏｃｋ；ＭＧＣＦ）として機能するので、パケットネットワーク支援部２３４とＡＧ２５０との間のインターフェースは、ＭＧとＭＧＣＦとの間のインターフェースであるＭＧＣＰと基本的に同一である。
【００２２】
前記回線ネットワーク支援部２３２は、ＩＯＳ Ａ１インターフェースを介してユーザープロフィール、サービスプロフィール、及びサービス品質クラスに関する情報を獲得してパケットネットワーク支援部２３４へ伝達する。ここで、前記ＢＳＣ２１４は、ユーザープロフィール、サービスプロフィール、及びサービス品質クラス情報を呼発信要求メッセージであるＣＭ Ｓｅｒｖｉｃｅ Ｒｅｑｕｅｓｔ Ｃｏｍｐｌｅｔｅ Ｌ３ ｉｎｆｏメッセージによって仲介ゲートウェイ２３０へ伝送する。前記ユーザープロフィールは、回線ネットワーク端末機の固有の識別情報として、ＭＩＮ（Ｍｏｂｉｌｅ Ｉｄｅｎｔｉｆｉｃａｔｉｏｎ Ｎｕｍｂｅｒ）、ＩＭＳＩ（Ｉｎｔｅｒｎａｔｉｏｎａｌ Ｍｏｂｉｌｅ Ｓｔａｔｉｏｎ Ｉｄｅｎｔｉｆｉｅｒ）、ＥＳＮ（Ｅｌｅｃｔｒｏｎｉｃ Ｓｅｒｉａｌ Ｎｕｍｂｅｒ）、優先順位番号（Ｐｒｉｏｒｉｔｙ Ｎｕｍｂｅｒ）、及び加入者ＵＲＬ（Ｕｎｉｆｏｒｍ Ｒｅｓｏｕｒｃｅ Ｌｏｃａｔｉｏｎ）を含む。前記サービスプロフィールは、着信側電話番号（Ｃａｌｌｅｄ Ｐａｒｔｙ Ｎｕｍｂｅｒ）、付加サービス情報、及びサービスオプションを含む。前記サービス品質クラス情報は、ユーザーの要求によるサービス品質を保持するのに必要な情報であり、例えば、ユーザーが要求した資源、すなわち、帯域幅（ｂｐｓ）を含む。パケットネットワーク支援部２３４は、前記ユーザープロフィール、サービスプロフィール、及びサービス品質クラス情報をＳＩＰ登録、割当て、及び呼設定（ｃａｌｌ ｓｅｔｕｐ）のための信号へ変換してＩＰドメインで回線ネットワーク端末機がパケットネットワーク端末機として動作するようにするための制御を遂行する。
【００２３】
図６は、本発明によるＡＧ２５０の主な機能を示す図である。図６を参照すると、前記ＡＧ２５０は、既存のＡＧと同一の機能を遂行する部分２５４の以外に本発明による動作を遂行する部分であるＩＰ運送部（ＩＰ Ｂｅａｒｅｒ）２５２を追加的に備える。前記部分２５４は、Ｒ−Ｐインターフェース（Ｒａｄｉｏ−Ｐａｃｋｅｔ Ｉｎｔｅｒｆａｃｅ）を介して前記ＲＡＮ２１０に連結され、ＩＰパケットデータサービスのための機能を遂行する。
【００２４】
前記ＡＧ２５０での前記ＩＰ運送部２５２は、Ｒ−Ｐインターフェースと類似して具現される運送インターフェース（Ｂｅａｒｅｒ Ｉｎｔｅｒｆａｃｅ）を介して前記ＲＡＮ２１０に連結される。前記ＩＰ運送部２５２の主な機能は、図７に詳細に示されている。図７を参照すると、前記ＩＰ運送部２５２は、仲介ゲートウェイ２３０のパケットネットワーク支援部２３４及びＳＣＭ２６０とのインターフェースのためのＨ．２４８を支援し、また、パケットネットワークを介してセッションが初期化された後トラフィックパケットを伝送するためにＩＰ、ＵＤＰ（Ｕｓｅｒ Ｄａｔａｇｒａｍ Ｐｒｏｔｏｃｏｌ）、またはＴＣＰ（Ｔｒａｎｓｐｏｒｔ Ｃｏｎｔｒｏｌ Ｐｒｏｔｏｃｏｌ）を支援する。前記ＩＰ運送部２５２は、前記パケットネットワーク支援部２３４及び前記ＳＣＭ２６０とともにＩＰパケット音声呼のためのシグナリングを支援し、ＩＰパケットを終結（ｔｅｒｍｉｎａｔｉｏｎ）させてＩＰ音声トラフィックの終端点（ｅｎｄｐｏｉｎｔ）の役割を遂行するために、ＲＴＰ（Ｒｅａｌ−ｔｉｍｅ Ｔｒａｎｓｐｏｒｔ Ｐｒｏｔｏｃｏｌ）を追加的に支援する。従って、ＩＰトラフィックは、回線ネットワークのトラフィックチャンネルとインターフェーシングされる。
【００２５】
以下、前述したネットワーク素子を使用して回線ネットワーク端末機にパケット音声呼サービスを提供する手順に対して詳細に説明する。
回線ネットワーク端末機がパケット音声呼サービスを受信するために、仲介ゲートウェイを介して回線ネットワークに位置登録を遂行してパケットネットワークにＩＰアドレスの登録を遂行しなければならない。
【００２６】
まず、位置登録について説明すると、次のようである。
前記回線ネットワーク端末機が前記ＲＡＮへ登録メッセージを伝送すると、前記ＲＡＮは、前記登録メッセージに応じて仲介ゲートウェイに位置更新メッセージ（Ｌｏｃａｔｉｏｎ Ｕｐｄａｔｅ Ｍｅｓｓａｇｅ）を伝送する。前記仲介ゲートウェイは、訪問者位置登録器（Ｖｉｓｉｔｏｒ Ｌｏｃａｔｉｏｎ Ｒｅｇｉｓｔｅｒ；以下、ＶＬＲと略称する。）が前記回線ネットワーク端末機の加入者情報を有しているか否かを検査し、前記ＶＬＲが加入者情報を有している場合、前記仲介ゲートウェイは、前記ＲＡＮに位置更新が許容されたことを知らせる。
【００２７】
前記ＶＬＲが加入者情報を有していない場合、前記仲介ゲートウェイは、加入者情報を獲得するために、前記ＨＬＲに認証要求（Ａｕｔｈｏｒｉｚａｔｉｏｎ ｒｅｑｕｅｓｔ）メッセージを伝送する。前記ＨＬＲは、前記認証要求メッセージに応じて加入者データベースを更新し、前記仲介ゲートウェイに加入者情報を伝送して前記ＶＬＲのデータベースを更新するようにする。このとき、前記回線ネットワーク端末機がすでに登録されていた端末機であれば、前記ＨＬＲは、すでに登録された仲介ゲートウェイに加入者情報を含む応答を伝送する。
【００２８】
前記のように位置登録が完了するとＩＰ登録が遂行される。
前記ＨＬＲから加入者情報を受信する仲介ゲートウェイは、前記ＳＣＭに回線ネットワーク端末機の加入者ＵＲＬを含むＳＩＰ登録メッセージを伝送してＩＰ登録を要求する。ここで、前記加入者ＵＲＬは、ユーザープロフィールに含まれている。このとき、前記仲介ゲートウェイは、前記ＵＲＬを“ＭＳＩＤ＠ｓｅｒｖｉｃｅｐｒｏｖｉｄｅｒｄｏｍａｉｎｎａｍｅ．ｃｏ．ｋｒ”と表示されることができるＭＳ−ＩＤとして表記してＳＩＰ登録を要求する。前記ＳＣＭは、ＡＡＡサーバーに認証要求メッセージを伝送し、ＡＡＡサーバーから応答を受信する。このとき、登録要求を受信する前記ＳＣＭが前記回線ネットワーク端末機のホームＳＣＭではない場合、前記ＳＣＭは、前記ホームＳＣＭにこれを知らせて前記ＳＣＭがＳＩＰ登録を遂行できるようにする。前記ＳＣＭは、前記回線ネットワーク端末機に移動ＩＰアドレスを割り当て、前記割り当てられた移動ＩＰアドレスを前記回線ネットワーク端末機の位置（すなわち、仲介ゲートウェイ）と相互連関して貯蔵する。
【００２９】
前記ＳＣＭが仲介ゲートウェイにＩＰアドレスの登録過程の完了を通報すると、前記仲介ゲートウェイは、前記ＲＡＮに成功的な位置登録を通報する。そうすると、前記ＲＡＮは、前記回線ネットワーク端末機に登録容認オーダー（Ｒｅｇｉｓｔｒａｔｉｏｎ Ａｃｃｅｐｔｅｄ ｏｒｄｅｒ）メッセージを伝送して位置登録が成功的に遂行されたことを通報する。
【００３０】
このようなすべての登録手続きが完了すると、仲介ゲートウェイは、リンク階層で回線ネットワーク端末機の移動性管理を担当し、前記ＳＣＭは、ＩＰ階層で回線ネットワーク端末機の移動性管理を担当するようになる。これにより、前記回線ネットワーク端末機は、パケットネットワークを介してパケットネットワーク端末機として認識される。
前記手続きによって位置登録及びＩＰ登録を完了した回線ネットワーク端末機は、呼発信または呼着信によってパケット呼サービスを受信することができる。
【００３１】
図８は、本発明による回線ネットワーク端末機のパケット音声呼発信手順を示す信号フローである。
図３乃至図８を参照すると、自分の現在位置に対する位置登録及びＩＰ登録手順を完了した回線ネットワーク端末機は、回線ネットワークの知られた無線インターフェース規格（例えば、ＩＳ−２０００など）によってＲＡＮに音声呼発信を要求するための発信メッセージ（Ｏｒｉｇｉｎａｔｉｏｎ Ｍｅｓｓａｇｅ）を伝送する。前記ＲＡＮは、ＩＯＳ Ａ１インターフェースを介して仲介ゲートウェイへＣＭサービス要求（Ｓｅｒｖｉｃｅ Ｒｅｑｕｅｓｔ）メッセージを伝送する。そうすると、仲介ゲートウェイは、前記ＲＡＮへアサインメント要求（Ａｓｓｉｇｎｍｅｎｔ Ｒｅｑｕｅｓｔ）メッセージを伝送して無線チャンネルの割当てを許容する一方、前記ＳＣＭにＳＩＰインバイト（ｉｎｖｉｔｅ）メッセージを伝送してセッション連結を要請する。
【００３２】
そうすると、前記ＳＣＭは、前記ＳＩＰインバイトメッセージに応じて前記ＤＮＳに着信側端末機のＩＰアドレスの翻訳を要請し、前記ＤＮＳから応答を受信する。その後、前記ＳＣＭは、対応する着信側端末機にインバイトメッセージを伝送してセッション連結を要請する。前記ＳＣＭを介して着信側端末機からＳＩＰトライイング（Ｔｒｙｉｎｇ）メッセージを受信すると、前記仲介ゲートウェイは、前記ＡＧにＨ．２４８によるセッション生成メッセージ（Ｓｅｓｓｉｏｎ Ｃｒｅａｔｅ Ｍｅｓｓａｇｅ）を伝送して回線ネットワーク端末機のためのＩＰ通信を要求する。ここで、前記生成メッセージは、発信回線ネットワーク端末機に対応して生成したＩＰプロトコル情報を含む。より詳細に説明すると、前記回線ネットワーク端末機がＩＰ通信のためのＩＰプロトコルを処理することができないため、呼発信要請のとき、前記仲介ゲートウェイは、回線ネットワーク端末機に割り当てられたＩＰアドレスを利用して対応するＩＰプロトコル情報を生成し、回線ネットワーク端末機からパケット呼の要請を受信すると、前記ＡＧへ伝送する。前記ＡＧは、前記受信されたＩＰプロトコル情報を利用して回線ネットワーク端末機がパケットネットワークを介してパケットネットワーク端末機として認識されるようにする。
【００３３】
前記生成メッセージを仲介ゲートウェイから受信した前記ＡＧは、ローカルＡＡＡサーバー及びホームＡＡＡサーバーを介して着信しようとする相手方端末機とＩＰ通信の知られた手順によるメッセージを交換して回線ネットワーク端末機の認証手順を遂行して、発信側端末機と着信側端末機との間の通信のための資源を予備できるようにする。資源の予備が完了すると、前記ＡＧは、仲介ゲートウェイにＭＧＣＰによる応答メッセージを伝送してＩＰ通信のための準備が完了したことを知らせる。
【００３４】
一方、前記ＳＣＭは、前記仲介ゲートウェイに前記ＳＩＰトライイングメッセージを伝送した後、前記ＡＧにＳＩＰセッションプログレスメッセージを伝送してＩＰ音声呼設定を要求する。そうすると、前記ＡＧは、前記ＲＡＮに呼設定のための設定要求（Ｓｅｔｕｐ Ｒｅｑｕｅｓｔ）メッセージを伝送し、それに対する応答で前記ＲＡＮから設定要求アック（Ｓｅｔｕｐ Ｒｅｑｕｅｓｔ Ａｃｋ）メッセージを受信する。このとき、前記ＲＡＮは、無線ネットワークを介して知られた手順によって回線ネットワーク端末機に無線トラフィックチャンネルを割り当て、サービス接続を完了した後、仲介ゲートウェイにアサインメント完了（Ａｓｓｉｇｎｍｅｎｔ Ｃｏｍｐｌｅｔｅ）メッセージを伝送した状態である。結果的に、前記回線ネットワーク端末機は、前記ＡＧを介して着信側端末機とＩＰ通信による音声通話を遂行することができる。
【００３５】
前記音声通話を遂行するとき、前記回線ネットワーク端末機は、物理階層、すなわち、無線階層のプロトコルのみを処理する一方、前記ＡＧは、それ以上の階層、すなわち、リンク階層及びネットワーク階層のプロトコルを処理する。従って、前記回線ネットワーク端末機は、パケットネットワークを介して着信側端末機に音声呼を連結することができる。ここで、着信側端末機は、ＩＰアドレスを有するパケットネットワーク端末機であると仮定したが、着信側端末機が通常のＰＳＴＮ端末機である場合にも、前述した手順を仲介ゲートウェイ（ＭＧ）に対しても適用することができる。
【００３６】
図９は、本発明による回線ネットワーク端末機のパケット音声呼着信手順を示す信号フローである。ここで、回線ネットワーク端末機は、自分の現在位置に対する位置登録及びＩＰ登録手順を完了したものとする。
図３乃至図７及び図９を参照すると、ＰＳＴＮ端末機が回線ネットワーク端末機との呼連結のためにＰＳＴＮに呼発信を要求すると、前記ＰＳＴＮは、前記ＭＧに呼発信のためのＩＡＭ（Ｉｎｉｔｉａｌ Ａｄｄｒｅｓｓ Ｍｅｓｓａｇｅ）を伝送する。そうすると、前記ＭＧは、ＳＩＰインバイト（Ｉｎｖｉｔｅ）メッセージを前記ＳＣＭへ伝送して着信側端末機またはエイジェント（例えば、ＭＧ）、すなわち、回線ネットワーク端末機のトラフィックエイジェントとのセッション連結を要求する。そうすると、前記ＳＣＭは、ホームＡＡＡサーバーに位置クイアリー（Ｌｏｃａｔｉｏｎ Ｑｕｅｒｙ）メッセージを伝送して回線ネットワーク端末機のパケットネットワーク上の位置（すなわち、トラフィックエイジェントの位置）を質問し、これに対して、応答（Ｒｅｓｐｏｎｓｅ）メッセージを受信する。このとき、回線ネットワーク端末機のパケットネットワーク上の位置は、回線ネットワーク端末機のＩＰアドレスが登録された仲介ゲートウェイを意味する。
【００３７】
前記応答メッセージを受信した前記ＳＣＭは、対応する仲介ゲートウェイにＳＩＰインバイトメッセージを伝送してセッション連結を要請する。そうすると、前記仲介ゲートウェイは、前記ＲＡＮに設定メッセージを伝送し、それに対する応答で呼び出し要求（Ｐａｇｅ Ｒｅｑｕｅｓｔ）メッセージを受信する。その後、前記仲介ゲートウェイは、前記ＲＡＮに呼び出しメッセージを伝送して呼び出しを要求する。そうすると、前記仲介ゲートウェイは、前記ＲＡＮ及び回線ネットワーク端末機とＩＯＳ Ａ１インターフェース及びＩＳ−２０００無線インターフェースによるメッセージを交換して回線ネットワーク端末機を呼び出し、音声通話のために前記回線ネットワーク端末機に無線トラフィックチャンネルを割り当てる。
【００３８】
前記回線ネットワーク端末機が呼び出しに応答し、前記ＲＡＮから接続（Ｃｏｎｎｅｃｔ）メッセージが受信されると、前記仲介ゲートウェイは、前記ＳＣＭにＳＩＰプログレスメッセージによる連結を知らせる。また、チャンネル割当てが完了し、仲介ゲートウェイへアサインメント完了メッセージを伝送すると、前記ＲＡＮは、前記ＡＧに設定要求メッセージを伝送して、前記設定要求メッセージに応じて前記ＡＧから設定要求アックメッセージを受信する。そうすると、前記仲介ゲートウェイは、前記ＡＧにＭＧＣＰによる生成メッセージを伝送して、回線ネットワーク端末機のために予め生成したＩＰプロトコル情報を伝送する。前記ＡＧは、前記ＩＰプロトコル情報に含まれたＩＰアドレスを利用してパケットネットワークを介して認証を遂行した後、前記仲介ゲートウェイへＯＫメッセージを伝送する。
【００３９】
前述した手順によって回線ネットワーク端末機に呼が着信されると、前記ＡＧは、前記回線ネットワーク端末機に音声呼経路を連結し、また、ＲＴＰ（Ｒｅａｌ−ｔｉｍｅ Ｔｒａｎｓｐｏｒｔ Ｐｒｏｔｏｃｏｌ）によるＰＳＴＮに他の音声呼経路を連結して音声通話に必要な準備を完了する。その結果、前記回線ネットワーク端末機は、前記ＡＧを介して発信側端末機とＩＰ通信による音声通話を遂行することができる。発信手順でのように、前記音声通話の遂行のとき、前記回線ネットワーク端末機は、物理階層、すなわち、無線階層のプロトコルのみを処理する一方、前記ＡＧは、それ以上の階層、すなわち、リンク階層及びネットワーク階層とのプロトコルを処理する。
【００４０】
前述の如く、本発明の詳細な説明では具体的な実施形態を参照して詳細に説明してきたが、本発明の範囲は前記実施形態によって限られるべきではなく、本発明の範囲内で様々な変形が可能であるということは、当該技術分野における通常の知識を持つ者には明らかである。
【００４１】
【発明の効果】
以上から述べてきたように、本発明は、ＩＳ−４１ ＩＰ間のゲートウェイネットワーク素子を提案して既存のレガシー端末機に対してＩＰサービスを提供することができる。従って、個人呼及びグループ呼を含む多様なインターアクティブ呼のような付加的なサービスをＩＰネットワークを介して提供することができる。また、単一のコアネットワークを構成することによって、ネットワークの間接費用を節減させ、その利用度を高めるのみならず、回線基盤のネットワークにａｌｌ ＩＰネットワークサービスの導入を容易にする。なお、同期式または非同期式ＩＭＴネットワークをＩＰネットワークに容易に統合させることができる。
【図面の簡単な説明】
【図１】通常の同期式ＩＭＴ−２０００ ａｌｌ ＩＰコアネットワークの概略図である。
【図２】本発明による仲介ゲートウェイを含む同期式ＩＭＴ−２０００ ａｌｌ ＩＰコアネットワークの概略図である。
【図３】本発明による回線ネットワーク端末機に音声パケットサービスを提供するためのネットワークシステムを示す図である。
【図４】本発明による図３に示した仲介ゲートウェイのブロック図である。
【図５】本発明による図４に示したパケットネットワーク支援部のブロック図である。
【図６】本発明による図３に示したＡＧ（Ａｃｃｅｓｓ Ｇａｔｅｗａｙ）のブロック図である。
【図７】本発明による図６に示したＩＰ運送部のブロック図である。
【図８】本発明による回線ネットワーク端末機でのパケット音声呼発信に対する信号フローを示す図である。
【図９】本発明による回線ネットワーク端末機でのパケット音声呼着信に対する信号フローを示す図である。
【符号の説明】
１５      回線ネットワーク端末機
２１０    ＲＡＮ
２３０、２８０    仲介ゲートウェイ
２３２    回線ネットワーク支援部
２３４    パケットネットワーク支援部
２５０    アクセスゲートウェイ（Ａｃｃｅｓｓ Ｇａｔｅｗａｙ；ＡＧ）
２５２    ＩＰ運送部
２６０    セッション制御管理部（Ｓｅｓｓｉｏｎ Ｃｏｎｔｒｏｌ Ｍａｎａｇｅｒ；ＳＣＭ）
２９０    ホームエイジェント（Ｈｏｍｅ Ａｇｅｎｔ；ＨＡ）
【国際公開パンフレット】
2004519927.tif 000003
2004519927.tif 000004
2004519927.tif 000005
2004519927.tif 000006
2004519927.tif 000007
2004519927.tif 000008
2004519927.tif 000009
2004519927.tif 000010
2004519927.tif 000011
2004519927.tif 000012
2004519927.tif 000013
2004519927.tif 000014
2004519927.tif 000015
2004519927.tif 000016
2004519927.tif 000017
2004519927.tif 000018
2004519927.tif 000019
2004519927.tif 000020
2004519927.tif 000021
2004519927.tif 000022
2004519927.tif 000023
2004519927.tif 000024
2004519927.tif 000025
2004519927.tif 000026
2004519927.tif 000027
【国際調査報告】
2004519927.tif 000028
2004519927.tif 000029